(57)【要約】【課題】屋上設置物を屋上面に設置する際の後処理等の手間を省略するとともに、防水性の向上を図ることが可能な屋上の防水構造を提供することを目的とする。【解決手段】建物の屋上面１ａに、太陽電池モジュール２０等の屋上設置物２を所定高さに支持するための架台３が設けられるとともに、この架台３の外周面の所定高さまで立ち上げられるようにして防水シート４が敷設されており、この防水シート４の上端縁は、前記架台３の外周面に沿って設けられる水切り部材５によって覆われていることを特徴とする屋上１の防水構造。これにより、従来とは異なり、コーキング材等を用いる必要がなくなるとともに、屋上面と防水シートとの間への雨水の浸入を確実に防ぐことができる。【選択図】図１
2008115635.tif 000002
【特許請求の範囲】
【請求項１】
建物の屋上面に、太陽電池モジュール等の屋上設置物を所定高さに支持するための架台が設けられるとともに、この架台の外周面の所定高さまで立ち上げられるようにして防水シートが敷設されており、
この防水シートの上端縁は、前記架台の外周面に沿って設けられる水切り部材によって覆われていることを特徴とする屋上の防水構造。
【請求項２】
請求項１に記載の屋上の防水構造において、
前記架台は、屋根の構造材に止着固定されたベース部材と、このベース部材に被さるようにして設けられる支持レールとを備えていることを特徴とする屋上の防水構造。
【請求項３】
請求項２に記載の屋上の防水構造において、
前記支持レールはベース部材に止着固定されるとともに、その止着固定箇所は前記防水シートによって覆われていることを特徴とする屋上の防水構造。
【請求項４】
請求項２または３に記載の屋上の防水構造において、
前記支持レールは、前記ベース部材の上部に位置し、長さ方向両端が開口する中空状のレール本体を備えており、このレール本体の上面に、前記屋上設置物が止着固定されていることを特徴とする屋上の防水構造。
【請求項５】
請求項４に記載の屋上の防水構造において、
前記水切り部材は、前記防水シートの上端縁を覆う水切り本体と、この水切り本体と一体的に形成され、前記架台の外周面に固定される固定部とを備え、この固定部は、前記レール本体の開口よりも下方に位置していることを特徴とする屋上の防水構造。
【発明の詳細な説明】
【技術分野】
【０００１】
本発明は、太陽電池モジュール等の屋上設置物を設置する屋上の防水構造に関する。
【背景技術】
【０００２】
従来より、太陽電池モジュールや商業用看板、テレビアンテナ、物置、物干し台等、建物の屋上には種々の屋上設置物が設置される。
例えば、太陽電池モジュールの場合は、陸屋根や地面などの水平な被設置面上に、フレーム材を三角柱状に組んだ架台を設置し、この架台上に太陽電池を組み込んだ太陽電池パネルを載置したものや、屋根の下地材にレールを並設し、太陽電池を組み込んだ太陽電池パネルをレールの上に屋根材として取り付けたもの等、太陽電池モジュールおよび太陽電池モジュールの設置構造についての技術が知られている（例えば、特許文献１参照）。
【特許文献１】特開２０００−２０８８０２号公報
【発明の開示】
【発明が解決しようとする課題】
【０００３】
ところで、屋上面に太陽電池モジュール等を設けるための架台やレール等を設置する際は、これら架台やレールを屋上面に設置した後に、屋上面を覆う防水シートを敷設して屋上の防水性の確保を図る場合がある。
ところが、このように架台やレール等を屋上面に設置した後に防水シートを敷設した際は、防水シートを架台やレールの下端部で切断し、その切断箇所をコーキング材等で後処理する場合があった。このため、コーキング材による後処理や、コーキング材が経年劣化した際の補修作業に手間がかかる。
また、屋上面の全面に防水シートを敷設した後に架台やレール等を設置した際においても、ねじや釘などの止着具を用いて架台やレールを屋上面に固定するため、ねじや釘などの止着具が用いられた箇所をコーキング材等で後処理しなければならなかった。
【０００４】
本発明の課題は、太陽電池モジュール等の屋上設置物を屋上面に設置する際の後処理等の手間を省略するとともに、防水性の向上を図ることが可能な屋上の防水構造を提供することを目的とする。
【課題を解決するための手段】
【０００５】
請求項１に記載の発明は、屋上１の防水構造であり、例えば図１〜図３に示すように、建物の屋上面１ａに、太陽電池モジュール２０等の屋上設置物２を所定高さに支持するための架台３が設けられるとともに、この架台３の外周面の所定高さまで立ち上げられるようにして防水シート４が敷設されており、
この防水シート４の上端縁は、前記架台３の外周面に沿って設けられる水切り部材５によって覆われていることを特徴とする。
【０００６】
請求項１に記載の発明によれば、建物の屋上面１ａに、前記架台３の外周面の所定高さまで立ち上げられるようにして敷設された防水シート４の上端縁が、前記水切り部材５によって覆われているので、従来とは異なり、コーキング材等を用いる必要がなくなるとともに、屋上面１ａと防水シート４との間への雨水の浸入を確実に防ぐことができる。したがって、後処理等の手間を省略して屋上設置物２を設置する際の作業性を向上させることができるとともに、屋上面１ａの防水性を向上させることが可能となる。
【０００７】
請求項２に記載の発明は、例えば図２および図３に示すように、請求項１に記載の屋上１の防水構造において、
前記架台３は、屋根の構造材１０ａに止着固定されたベース部材３ａと、このベース部材３ａに被さるようにして設けられる支持レール３ｂとを備えていることを特徴とする。
【０００８】
請求項２に記載の発明によれば、前記架台３は、屋根の構造材１０ａに止着固定されたベース部材３ａと、このベース部材３ａに被さるようにして設けられる支持レール３ｂとを備えていることから、この支持レール３ｂによって前記ベース部材３ａの止着固定箇所を覆うことができるので、前記ベース部材３ａの止着固定箇所からの雨水の浸入を確実に防ぐことができる。
【０００９】
請求項３に記載の発明は、例えば図２に示すように、請求項２に記載の屋上１の防水構造において、
前記支持レール３ｂはベース部材３ａに止着固定されるとともに、その止着固定箇所は前記防水シート４によって覆われていることを特徴とする。
【００１０】
請求項３に記載の発明によれば、前記支持レール３ｂはベース部材３ａに止着固定されるとともに、その止着固定箇所は前記防水シート４によって覆われているので、前記支持レール３ｂの止着固定箇所からの雨水の浸入を確実に防ぐことができる。
【００１１】
請求項４に記載の発明は、例えば図２および図３に示すように、請求項２または３に記載の屋上１の防水構造において、
前記支持レール３ｂは、前記ベース部材３ａの上部に位置し、長さ方向両端が開口する中空状のレール本体３０を備えており、このレール本体３０の上面に、前記屋上設置物２が止着固定されていることを特徴とする。
【００１２】
請求項４に記載の発明によれば、前記支持レール３ｂは、前記ベース部材３ａの上部に位置し、長さ方向両端が開口する中空状のレール本体３０を備えており、このレール本体３０の上面に、前記屋上設置物２が止着固定されているので、前記屋上設置物２の止着固定箇所から浸入した雨水を、中空状のレール本体３０の内部を通過させ、このレール本体３０の長さ方向両端から排出することができる。したがって、屋上面１ａと防水シート４との間への雨水の浸入をより確実に防ぐことができる。
【００１３】
請求項５に記載の発明は、例えば図１〜図３に示すように、請求項４に記載の屋上１の防水構造において、
前記水切り部材５は、前記防水シート４の上端縁を覆う水切り本体５ａと、この水切り本体５ａと一体的に形成され、前記架台３の外周面に固定される固定部５ｂとを備え、この固定部５ｂは、前記レール本体３０の開口３０ｂよりも下方に位置していることを特徴とする。
【００１４】
請求項５に記載の発明によれば、前記架台３の外周面に固定される固定部５ｂが、前記レール本体３０の開口３０ｂよりも下方に位置しているので、前記レール本体３０の開口３０ｂから排出された雨水を、前記固定部５ｂおよび水切り本体５ａの表面を通過させて、屋上面１ａに敷設された防水シート４上へと流すことができる。したがって、屋上面１ａと防水シート４との間への雨水の浸入をさらに確実に防ぐことができる。
【発明の効果】
【００１５】
本発明によれば、建物の屋上面に、太陽電池モジュール等の屋上設置物を所定高さに支持するための架台が設けられ、この架台の外周面の所定高さまで立ち上げられるようにして敷設された防水シートの上端縁が、架台の外周面に沿って設けられる水切り部材によって覆われているので、従来とは異なり、コーキング材等を用いる必要がなくなるとともに、屋上面と防水シートとの間への雨水の浸入を確実に防ぐことができる。したがって、後処理等の手間を省略して屋上設置物を設置する際の作業性を向上させることができるとともに、屋上面の防水性を向上させることが可能となる。
【発明を実施するための最良の形態】
【００１６】
以下、図面を参照して本発明の実施の形態について説明する。
【００１７】
本実施の形態の屋上１の防水構造は、図１〜図３に示すように、建物の屋上面１ａに、太陽電池モジュール２０等の屋上設置物２を所定高さに支持するための架台３が設けられるとともに、この架台３の外周面の所定高さまで立ち上げられるようにして防水シート４が敷設されており、この防水シート４の上端縁は、前記架台３の外周面に沿って設けられる水切り部材５によって覆われている。
【００１８】
なお、本実施の形態の建物は、壁や床、屋根といった建物の構成要素を予め工場にてパネル化しておき、施工現場でこれらのパネルを組み立てて構築するパネル工法で構築されるが、従来の軸組工法や壁式工法の木造等の建物にも適用することができる。
【００１９】
すなわち、図２および図３に示すように、本実施の形態の建物の屋根は、屋根パネル１０によって構成されており、この屋根パネル１０は、縦横の複数の芯材１０ａが枠状に組み立てられるとともに、この枠状体の上面に、屋上面１ａを構成する面材１０ｂが貼設されたものである。また、本実施の形態の屋根は、図３に示すように、若干傾斜するようにして形成されている。
【００２０】
また、本実施の形態の屋上設置物２としては、太陽エネルギーを変換して電気や温水として利用するための太陽電池モジュール２０が用いられるが、これに限られるものではなく、例えば商業用看板や各種アンテナ、物置、物干し台、制振装置、発電用風車、温室、貯水タンク、パーゴラ、見晴台、天文台、避雷針、屋上緑化設備、空調用設備、照明設備、換気塔、煙突など、種々のものが挙げられ、本発明の趣旨を逸脱しない範囲で適宜変更可能である。
【００２１】
一方、この屋上設置物２を支持する架台３は、図２および図３に示すように、屋根の構造材１０ａである芯材１０ａに止着固定されたベース部材３ａと、このベース部材３ａに被さるようにして設けられる支持レール３ｂとを備えている。
つまり、前記支持レール３ｂによってベース部材３ａの止着固定箇所を覆うことができるので、前記ベース部材３ａの止着固定箇所からの雨水の浸入を確実に防ぐことができるようになっている。
【００２２】
前記ベース部材３ａは、前記屋根の勾配方向に沿って長尺で、断面が略正方形状の木材であり、釘６等の止着材が打ち込まれることによって前記屋根の構造材１０ａに止着固定されている。すなわち、この釘６等の止着材が打ち込まれた箇所が、上述の止着固定箇所となる。なお、このベース部材３ａの断面形状を略正方形状としたが、これに限られるものではなく、ベース部材３ａの形状と、後述する支持レール３ｂの形状とが合致する範囲内で適宜変更可能である。
【００２３】
前記支持レール３ｂは、アルミ等の金属を押出成型してなり、前記ベース部材３ａの上部に位置し、長さ方向両端が開口する中空状のレール本体３０を備えている。また、図２に示すように、このレール本体３０の下端部の側縁には、前記ベース部材３ａの両側面に被さる周壁部３１，３１が下方に向かって垂設されている。また、この周壁部３１，３１は、前記レール本体３０と一体的に形成されている。
【００２４】
また、前記支持レール３ｂはベース部材３ａに止着固定されるとともに、その止着固定箇所は前記防水シート４によって覆われている。
なお、この支持レール３ｂがベース部材３ａに止着固定される際は、図２に示すように、釘７，７等の止着材が前記レール本体３０の下端部側縁に垂設された周壁部３１，３１からベース部材３ａに向かって打ち込まれることによって止着固定されている。そして、この釘７，７等の止着材が打ち込まれた箇所が、上述の止着固定箇所となる。
また、前記防水シート４は、上述したように前記架台３の外周面の所定高さまで立ち上げられるとしたが、この所定高さとは、前記支持レール３ｂをベース部材３ａに止着固定した箇所を覆うことができる高さである。
【００２５】
そして、このように、前記支持レール３ｂはベース部材３ａに止着固定されるとともに、その止着固定箇所は前記防水シート４によって覆われているので、前記支持レール３ｂの止着固定箇所からの雨水の浸入を確実に防ぐことができるようになっている。
【００２６】
なお、本実施の形態の支持レール３ｂは、前記周壁部３１，３１がレール本体３０の下端部の側縁において下方に向かって垂設された形状となっているが、これに限られるものではない。
例えば、図示はしないが、支持レールを、周壁部をレール本体の下端部の側縁から水平方向に延在するように設けることによって、断面鍋蓋状となるように形成する。このように支持レールを断面鍋蓋状とすることによって、断面形状が幅広矩形状のベース部材を用いた場合などに対応できる。
すなわち、断面が幅広矩形状のベース部材の上面に、断面鍋蓋状のレール本体を載せるように被せることで支持レールを形成することが可能となる。この時、断面鍋蓋状の支持レールは、釘等の止着材が周壁部からベース部材に向かって下方に打ち込まれることによって止着固定され、その止着固定箇所が防水シートによって覆われた状態となる。
【００２７】
そして、前記支持レール３ｂのレール本体３０の上面に、図２および図３に示すように、前記屋上設置物２が止着固定されている。
すなわち、前記支持レール３ｂは、上述したように前記ベース部材３ａの上部に位置し、長さ方向両端が開口する中空状のレール本体３０を備えており、このようなレール本体３０の上面に、前記屋上設置物２が止着固定されているので、前記屋上設置物２の止着固定箇所から浸入した雨水を、中空状のレール本体３０の中空部３０ａを通過させ、このレール本体３０の長さ方向両端の開口３０ｂから排出することができるようになっている。
なお、本実施の形態の屋根は、図３に示すように、若干傾斜するようにして形成されているので、特に、屋根勾配の下方側に位置する開口３０ｂから雨水が排出されるようになっている。
【００２８】
一方、前記防水シート４は、例えばポリオレフィン系樹脂等の合成樹脂からなり、ガラスクロスを含んだ複数層の構造となっている。このようにガラスクロスを用いた場合、防水シート４の寸法安定性を向上させることができるので好ましい。
【００２９】
さらに、前記水切り部材５は、図１〜図３に示すように、前記防水シート４の上端縁を覆う水切り本体５ａと、この水切り本体５ａと一体的に形成され、前記架台３の外周面に固定される固定部５ｂとを備え、この固定部５ｂは、前記レール本体３０の開口３０ｂよりも下方に位置している。
また、前記固定部５ｂは、隙間を形成しないようにするために、前記架台３の外周面に対して強固に密着固定された状態となっている。
【００３０】
また、図２および図３に示すように、この水切り部材５を、前記架台３の外周面を取り囲むことが可能な一体成形された部材とすることが望ましい。これによって、この水切り部材５に継ぎ目が生じないので、防水性の向上を図ることが可能となる。なお、この水切り部材５は、アルミ等の金属を押出成型してなる。
【００３１】
そして、このような水切り部材５によれば、前記架台３の外周面に固定される固定部５ｂが、前記レール本体３０の開口３０ｂよりも下方に位置しているので、前記レール本体３０の開口３０ｂから排出された雨水を、前記固定部５ｂおよび水切り本体５ａの表面を通過させて、屋上面１ａに敷設された防水シート４上へと流すことが可能となっている。
【００３２】
なお、本実施の形態の屋上設置物２である太陽電池モジュール２０を、前記レール本体３０の上面に設ける際は、図２および図３に示すように、前記レール本体３０の上面に釘８，８等の止着材によって止着固定される太陽電池モジュール用取付金具２１と、この取付金具２１に取り付けられ、前記太陽電池モジュール２０を支持する太陽電池モジュール用支持レール２２とが複数用いられている。
そして、前記太陽電池モジュール２０は、前記屋上面１ａに並設された複数の架台３上に、前記太陽電池モジュール用取付金具２１を複数並べて取り付けるとともに、これら複数の太陽電池モジュール用取付金具２１間に架け渡すようにして、前記複数の太陽電池モジュール用支持レール２２を、前記複数の架台３の上部に架設し、さらに、これら複数の太陽電池モジュール用支持レール２２間に架け渡すようにして、前記太陽電池モジュール２０が設置されている。
【００３３】
次に、屋上１の防水方法について説明する。
【００３４】
まず、図２および図３に示すように、前記ベース部材３ａを、釘６等の止着材を屋根パネル１０の芯材１０ａに打ち込むようにして、建物の屋上面１ａに設置する。
続いて、このように止着固定されたベース部材３ａに、前記支持レール３ｂを被せるようにして設けるとともに、この支持レール３ｂの周壁部３１，３１からベース部材３ａに向かって釘７，７等の止着材を打ち込んで、前記支持レール３ｂをベース部材３ａに止着固定して、屋上面１ａに架台３を形成する。
【００３５】
次に、屋上面１ａの全体に、この架台３の外周面の所定高さまで立ち上げるとともに、前記支持レール３ｂをベース部材３ａに止着固定した箇所を覆うようにして、前記防水シート４を敷設する。
そして、このように敷設された防水シート４の上端縁を覆うようにして、前記水切り部材５を前記架台３の外周面に沿って設けるようにする。以上のようにして、建物の屋上面１ａに防水処理を施すことができるようになっている。
【００３６】
その後は、前記支持レール３ｂのレール本体３０の上面に、前記太陽電池モジュール用取付金具２１や太陽電池モジュール用支持レール２１等の周辺部材を取り付けるなどして、前記屋上設置物２の設置作業を進めていくようにする。
【００３７】
なお、以上のような屋上１の防水方法を採用することによって、屋上面１ａに架台３を設置するような大工工事と、屋上面１ａに設置した架台３の外周面に立ち上げるようにして防水シート４を敷設するとともに、防水シート４の上端縁を水切り部材５によって覆うような防水工事と、屋上面１ａに設置した架台３の上部に屋上設置物２を設置する設置工事とを、極力影響し合わなくすることができる。
すなわち、例えば、従来のように防水シート４を架台３やレールの下端部で切断したり、防水シート４に直接釘等の止着材を打ち込んだりする作業を行う必要がなく、それぞれの工事の責任を、それぞれの工事担当者に帰することができるので、それぞれの工事どうしが影響し合わないようにすることが可能となっている。
【００３８】
本実施の形態によれば、建物の屋上面１ａに、前記架台３の外周面の所定高さまで立ち上げられるようにして敷設された防水シート４の上端縁が、前記水切り部材５によって覆われているので、従来とは異なり、コーキング材等を用いる必要がなくなるとともに、屋上面１ａと防水シート４との間への雨水の浸入を確実に防ぐことができる。したがって、後処理等の手間を省略して屋上設置物２を設置する際の作業性を向上させることができるとともに、屋上面１ａの防水性を向上させることが可能となる。
【図面の簡単な説明】
【００３９】
【図１】本発明の屋上の防水構造を示す斜視図である。
【図２】本発明の屋上の防水構造を示す側断面図である。
【図３】本発明の屋上の防水構造を示す正断面図である。
【符号の説明】
【００４０】
１  屋上
１ａ  屋上面
２  屋上設置物
３  架台
４  防水シート
５  水切り部材
【図１】
2008115635.tif 000003
【図２】
2008115635.tif 000004
【図３】
2008115635.tif 000005